(57)【特許請求の範囲】
【請求項１】
少なくとも２つの保持具との使用に適した取付装置であって、この取付装置は、
少なくとも２つのマウント部を含み、各マウント部は保持具との係合用であり、
各マウント部には、保持位置と開放位置との間を移動可能にする少なくとも１つのラッチ部が含まれ、
保持位置では、マウント部により係合され保持され又は抑止されている保持具が、マウント部から外れることを、少なくとも１つのラッチ部が防止し、
開放位置では、保持具がマウント部から外れ、
各マウント部には、少なくとも１つのリリース部が含まれ、少なくとも他の１つのマウント部の少なくとも１つのラッチ部を、保持位置から開放位置へ移動させる構成であって、
少なくとも１つのリリース部を備える少なくとも１つのラッチ部材を備える
ことを特徴とする取付装置。
【請求項２】
請求項１において、前記各マウント部には、保持具を受け入れる受入領域を含む
ことを特徴とする取付装置。
【請求項３】
請求項２において、前記各受入領域には、保持具がマウント部と係合及び解放する間に通る開口が含まれる
ことを特徴とする取付装置。
【請求項４】
請求項２又は３において、前記少なくとも１つのラッチ部は、保持位置にあるときは、受入領域に達する
ことを特徴とする取付装置。
【請求項５】
請求項２から４のいずれか１において、前記少なくとも１つのラッチ部は、保持位置にあるときは、保持具と開口の中間にある受入領域に達する
ことを特徴とする取付装置。
【請求項６】
請求項２から５のいずれか１において、前記少なくとも１つのリリース部は、保持位置にあるときは、受入領域に達する
ことを特徴とする取付装置。
【請求項７】
請求項２から６のいずれか１において、前記少なくとも１つのリリース部は受入領域に達し、保持具は開口とリリース部の中間にある
ことを特徴とする取付装置。
【請求項８】
請求項２から７のいずれか１において、前記少なくとも１つのリリース部は、第１マウント部の少なくとも１つのラッチ部のために、その少なくとも１つのラッチ部が保持位置にあるときは、他のマウント部の受入領域に達する
ことを特徴とする取付装置。
【請求項９】
請求項１から８のいずれか１において、第１マウント部のラッチ部は、第２マウント部のラッチ部が開放位置にあるときは、保持位置にある
ことを特徴とする取付装置。
【請求項１０】
請求項１から９のいずれか１において、第１のマウント部のラッチ部が、保持位置から開放位置へ移動すると、第２マウント部のラッチ部が、開放位置から保持位置へ移動する
ことを特徴とする取付装置。
【請求項１１】
請求項１から１０のいずれか１において、少なくとも２つのマウント部のラッチ部は、一体となって移動を強いられる
ことを特徴とする取付装置。
【請求項１２】
請求項１において、前記少なくとも１つのラッチ部材は、少なくとも１つのラッチ部を備える
ことを特徴とする取付装置。
【請求項１３】
請求項１ないし１２のいずれか１において、少なくとも２つのマウント部のラッチ部は、単一のラッチ部材に配置してある
ことを特徴とする取付装置。
【請求項１４】
請求項１ないし１３のいずれか１において、少なくとも２つのマウント部のリリース部は、単一のラッチ部材に配置してある
ことを特徴とする取付装置。
【請求項１５】
請求項１ないし１４のいずれか１において、前記少なくとも２つのマウント部のラッチ部は、異なるラッチ部材に配置してある
ことを特徴とする取付装置。
【請求項１６】
請求項１ないし１５のいずれか１において、前記少なくとも２つのマウント部のリリース部は、異なるラッチ部材に配置してある
ことを特徴とする取付装置。
【請求項１７】
請求項１ないし１６のいずれか１において、前記少なくとも１つのラッチ部材は、各自の回転軸の周りを回転するように装着してある
ことを特徴とする取付装置。
【請求項１８】
請求項１ないし１７のいずれか１において、少なくとも２つのラッチ部材があり、各ラッチ部材は少なくとも１つのラッチ部と、少なくとも１つのリリース部を備えている
ことを特徴とする取付装置。
【請求項１９】
請求項１８のいずれか１において、前記少なくとも２つのラッチ部材は、共通軸の周りを回転するように装着された、
ことを特徴とする取付装置。
【請求項２０】
請求項１ないし１９のいずれか１において、第一位置において、装置の第１マウント部の保持具は、他の少なくとも１つマウント部の保持具が装置から着脱自由な間は、固定される
ことを特徴とする取付装置。
【請求項２１】
請求項１ないし２０のいずれか１において、対応するラッチ部が保持位置と開放位置の中間に位置するとき、少なくとも２つのマウント部に係合する保持具は装置に固定され、ラッチ部の１つが少なくとも１つのマウント部の第一位置へ移動するまでは、いずれも外れない
ことを特徴とする取付装置。
【請求項２２】
請求項１ないし２１のいずれか１において、少なくとも１つのラッチ部を保持位置へ付勢する少なくとも１つのバイアス部材を含む
ことを特徴とする取付装置。
【請求項２３】
請求項２２において、少なくとも１つのバイアス部材は、ラッチ部が保持位置または開放位置の中間に位置するときよりも、ラッチ部が保持位置又は開放位置の少なくとも１つに位置するときの方が、付勢が少ない
ことを特徴とする取付装置。
【請求項２４】
請求項１ないし２３のいずれか１において、マウント部に係合された保持具の動きによってラッチ部が保持位置の方へ引き出される
ことを特徴とする取付装置。
【請求項２５】
請求項２４において、保持位置の方へより引き出された前記ラッチ部は、保持具が保持されたマウント部から外れることを防止する
ことを特徴とする取付装置。
【請求項２６】
請求項２４において、保持位置の方へより引き出された前記ラッチ部は、保持具が保持されたマウント部とは異なるマウント部から外れることを防止する
ことを特徴とする取付装置。
【請求項２７】
請求項１ないし２６のいずれか１において、前記少なくとも１つのマウント部において、マウント部内で保持具が可動な通路に沿って動くことを抑制され、少なくとも１つのラッチ部は、その通路に対して角度のある第１の対応面としてあり、ここへ保持具が当たる
ことを特徴とする取付装置。
【請求項２８】
請求項１ないし２７のいずれか１において、前記少なくとも１つのリリース部は、マウント部内で保持具が可動な通路に対して角度のある第２の対応面としてあり、ここへ保持具が当たる
ことを特徴とする取付装置。
【請求項２９】
請求項１ないし２８のいずれか１において、スロット状のマウント部を少なくとも１つ含み、保持具はその各マウント部に受け入れられる
ことを特徴とする取付装置。
【請求項３０】
請求項１ないし２９のいずれか１において、少なくとも１つのマウント部は、第２端部で閉じてあり又は実質的に閉じてあり、マウント部からの保持具の出入は、第１端部を経て行われる
ことを特徴とする取付装置。
【請求項３１】
請求項１ないし３０のいずれか１において、
少なくとも１つのヘッドおよび少なくとも１つのテールを備え、このヘッドとテールの中間の各軸の周りを回転するように装着された少なくとも１つのラッチを備え、
前記少なくとも１つのヘッドは、少なくとも１つのラッチ部を備え、
前記少なくとも１つのテールは、少なくとも１つのリリース部を備え、
前記軸のいずれの側にも伸びている少なくとも２つの閉じたマウント部を備え、
前記少なくとも１つのラッチは、第１位置と第２位置の間で回転可能であるところ、
第１位置又は第２位置のいずれにおいて、ヘッドは、端部から遠い位置で第１のマウント部をまたぎ、第１マウント部を閉じて、保持具を第１マウント部に保持し、テールは、開口端部から遠い位置で第２マウント部をまたぎ、
保持具が第２マウント部へ入れられると、保持具はテールと係合し、ラッチを他の第１位置と第２位置へ回転させて、ヘッドが第１マウント部ではなく第２マウント部をまたぐ
ことを特徴とする取付装置。
【請求項３２】
請求項１ないし３１のいずれか１で請求された取付装置と少なくとも１つの保持具を含む
ことを特徴とする取付システム。
【発明の詳細な説明】
【技術分野】
【０００１】
本発明はツールホルダに関し、特に、地面や水面上において作業する際に、ツールその他の器具を確実に保持し、これにより、これらの物品の偶発的な落下を防止することに関する。しかしながら、本発明は、この種の用途に限られない。
【背景技術】
【０００２】
地面より高い位置で道具やその他の物体を用いて作業をする際、物品が偶発的に落下してしまう危険性は、常にある。比較的小さな物体でもそれが下にいる人に当たると、重傷を負わせたり死亡させたりするおそれがあり、また、財産に重大な損害を与えるおそれもある。
【発明の概要】
【発明が解決しようとする課題】
【０００３】
本発明の目的は、物体の偶発的な落下を減らし、好ましくはそれを防止するシステムを提供することにある。
【課題を解決するための手段】
【０００４】
１つの広範な形態において、本発明は、少なくとも２つの保持具との使用に適した取付装置を提供するもので、この装置には少なくとも２つのマウント部が含まれ、各マウント部は保持具との係合用であるところ、保持具の１つが装置に係合するとき、この保持具は、他の保持具が装置に係合するまで、装置から外れない。
【０００５】
好適な形態において、装置は２つのマウント部を備えている。
【０００６】
好適な形態において、装置には、第１位置と第２位置の間を動く、各マウント部用のラッチ機構が含まれる。好適な形態において、ラッチ機構の一部は、ラッチ機構の他部が第２マウント部用に第２位置にあるときは、第１マウント部用に第１位置にある。
【０００７】
ラッチ機構は、一体となって作動することが好ましいが（それが１つの要素として形成されるか、複数の構成部品から形成されるかに関わらず）、互いに関連して動く２以上の構成部品から形成してもよい。
【０００８】
好適な形態において、第１位置において、第１のマウント部の保持具は、少なくとも他の１つのマウント部の保持具が装置から着脱自由な間は、固定される。
【０００９】
好適な形態において、第１位置と第２位置の中間において、少なくとも２つのマウント部に係合する保持具は装置に固定され、ラッチ機構の一部が少なくとも１つのマウント部の第１位置へ移動するまでは、いずれも外れない。
【００１０】
好適な形態において、ラッチ機構は、第１位置と第２位置の間にある回転軸の周りを回転する部材を含む。この部材は、線上滑り運動などの非回転運動によって、第１位置と第２位置の間を移動してもよい。
【００１１】
好ましくは、装置は、ラッチ機構またはラッチ機構の一部に付勢するバイアス部材を含む。好ましくは、バイアス部材は、第１位置と第２位置よりも中間位置でより付勢される、いわゆるオーバーセンター作用がある。
【００１２】
好ましくは、ラッチ機構は、保持された保持具の動きによって、ラッチ機構の各部が、中間位置からより離れた位置へ引き出されるように構成してある。
【００１３】
好適な形態において、装置は、スロットのような２つのマウント部を含み、保持具はこれらのマウント部に受け入れられる。スロットが保持具を受けるために第１端部で開くとき、好ましくは、ラッチ機構の第１部分は、第１端部から遠い（位置で）スロットに達し、保持具がスロットを通るときは、この保持具は第１部分に当たる。保持具が引き続きスロットの中へ動くと、ラッチ機構を移動させて、ラッチ機構の第２部分を通過させ、保持具と第１部分の間でスロットをまたがせ、これによりスロットを閉じる。
【００１４】
好ましくは、ラッチ機構の第１部分は、スロットに対して角度のある面としてある。
【００１５】
好ましくはラッチ機構の第２部分は、スロットに対して角度のある面としてあり、これに保持具が当たる。
【００１６】
好ましくは、各スロットは第２端部で閉じてあるので、スロットからの保持具の出入は、第１端部を経て行われる。しかしながら、両端が開いた１つ以上スロットにラッチ機構が与えられ、いずれの端部からも出入できるよう構成してもよい。
【００１７】
好適な形態において、装置は、ヘッドおよびテールを備えたラッチを備え、ヘッドとテールの中間に位置する軸の周りを回転するように装着してある。２つの閉じたスロットは軸のいずれの側にも伸びており、ラッチは第１位置と第２位置の間で回転する。第１位置又は第２位置のいずれかにおいて、ヘッドは端部から遠い（位置で）第１スロットをまたぎ、第１スロットを閉じて保持具を第１スロットに保持し、テールは開口端部から遠い（位置で）第２スロットをまたぐ。保持具が開いたスロットへ入れられると、保持具はテールと係合し、ラッチを他の第１位置と第２位置へ回転させて、ヘッドが第１スロットではなく第２スロットをまたぐ。好ましくは、中間位置では、ヘッドは、両方のスロットをまたぎ、各スロットの閉塞端部とヘッドの間に位置する保持具が外れるのを防止する。
【００１８】
他の広範な形態において、本発明は、少なくとも２つの保持具との使用に適した取付装置を提供するものであって、この装置には、少なくとも２つのマウント部が含まれ、各マウント部は保持具との係合用である。
【００１９】
各マウント部には、保持位置と開放位置との間を移動可能する少なくとも１つのラッチ部が含まれる。保持位置では、マウント部により係合され保持され又は抑止されている保持具が、マウント部から外れることを、少なくとも１つのラッチ部が防止する。開放位置では、保持具がマウント部から外れる。
【００２０】
さらに、各マウント部には、少なくとも１つのリリース部が含まれ、少なくとも他の１つのマウント部の少なくとも１つのラッチ部を、保持位置から開放位置へ移動させる。
【００２１】
前記又は各マウント部には、保持具を受け入れる受入領域を含む。この又は各受入領域には、保持具がマウント部と係合及び解放する間に通る開口が含まれる。
【００２２】
前記少なくとも１つのラッチ部は、保持位置にあるときは、受入領域に達する。この少なくとも１つのラッチ部は、保持位置にあるときは、保持具と開口の中間にある受入領域に達する。
【００２３】
前記少なくとも１つのリリース部は、第一位置にあるときは、受入領域に達する。この少なくとも１つのリリース部は受入領域に達し、保持具は開口とリリース部の中間にある。
【００２４】
前記少なくとも１つのリリース部は、第１マウント部の少なくとも１つのラッチ部のために、その少なくとも１つのラッチ部が保持位置にあるときは、他のマウント部の受入領域に達する。第１マウント部のラッチ部は、第２マウント部のラッチ部が開放位置にあるときは、保持位置にある。
【００２５】
第１のマウント部のラッチ部が、保持位置から開放位置へ移動すると、第２マウント部のラッチ部も、保持位置から開放位置へ移動する。
【００２６】
少なくとも２つのマウント部のラッチ部は、一体として移動するように規制される。
【００２７】
前記取付装置は、少なくとも１つのラッチ部材を含む。この少なくとも１つのラッチ部材は、少なくとも１つのラッチ部を備える。この少なくとも１つのラッチ部材は、少なくとも１つのリリース部を備える。少なくとも２つのマウント部のラッチ部は、単一のラッチ部材に配置してある。少なくとも２つのマウント部のリリース部は、単一のラッチ部材に配置してある。少なくとも２つのマウント部のラッチ部は、異なるラッチ部材に配置してある。少なくとも２つのマウント部のリリース部は、異なるラッチ部材に配置してある。
【００２８】
前記又は各少なくとも１つのラッチ部材は、各自の回転軸の周りを回転するように装着してある。少なくとも２つのラッチ部材があり、各ラッチ部材は少なくとも１つのラッチ部と、少なくとも１つのリリース部を備えている。
【００２９】
共通軸の周りを回転するように装着された、少なくとも２つのラッチ部材がある。
【００３０】
第一位置において、装置の第１マウント部の保持具は、他の少なくとも１つマウント部の保持具が装置から着脱自由な間は、固定される。
【００３１】
対応するラッチ部が保持位置と開放位置の中間に位置するとき、少なくとも２つのマウント部に係合する保持具は装置に固定され、ラッチ部の１つが少なくとも１つのマウント部の第一位置へ移動するまでは、いずれも外れない。
【００３２】
前記装置は、少なくとも１つのラッチ部を保持位置へ付勢する少なくとも１つのバイアス部材を含む。この少なくとも１つのバイアス部材は、ラッチ部が保持位置または開放位置の中間に位置するときよりも、ラッチ部が保持位置又は開放位置の少なくとも１つに位置するときの方が、付勢が少ない。
【００３３】
マウント部に係合された保持具の動きは、ラッチ部を保持位置の方へより引き出す。保持位置の方へより引き出されたラッチ部は、保持具が保持されたマウント部から外れることを防止する。保持位置の方へより引き出されたラッチ部は、保持具が保持されたマウント部とは異なるマウント部から外れることを防止する。
【００３４】
前記少なくとも１つのマウント部において、保持具がスロットの溝方向に動くことを抑制される。前記少なくとも１つのラッチ部は、スロットの溝方向に対して角度のある第１の対応面としてあり、ここへ保持具が当たる。前記少なくとも１つのリリース部は、スロットの溝方向に対して角度のある第２の対応面としてあり、ここへ保持具が当たる。
【００３５】
前記装置は、スロットのようなマウント部を少なくとも１つ含み、保持具はその各マウント部に受け入れられる。少なくとも１つのスロットは、第２端部で閉じてあり又は実質的に閉じてあり、スロットから保持具の出入は、第１端部を経て行われる。少なくとも１つのスロットは、両端で開いており、少なくとも１つのラッチ部および少なくとも１つのリリース部の少なくとも１つは、いずれの端部からも出入できるように構成してある。
【００３６】
前記装置は、少なくとも１つのヘッドおよび少なくとも１つのテールを備え、このヘッドとテールの中間の各軸の周りを回転するように装着された少なくとも１つのラッチを備え、前記少なくとも１つのヘッドは、少なくとも１つのラッチ部を備え、
前記少なくとも１つのテールは、少なくとも１つのリリース部を備え、
前記軸のいずれの側にも伸びている少なくとも２つの閉じたスロットを備え、
前記少なくとも１つのラッチは、第１位置と第２位置の間で回転可能である。
ここで、第１位置又は第２位置のいずれにおいて、ヘッドは、端部から遠い（位置で）第１のスロットをまたぎ、第１スロットを閉じて、保持具を第１スロットに保持し、テールは、開口端部から遠い（位置で）第２スロットをまたぐ。
保持具が前記第２スロットへ入れられると、保持具はテールと係合し、ラッチを他の第１位置と第２位置へ回転させて、ヘッドが第１スロットではなく第２スロットをまたぐ。
【００３７】
他の広範な形態において、本発明は、１つ以上の保持具を備えた本発明のすべての形態の取付装置を含む取付システムを提供する。
【００３８】
文脈が明らかに要求しない限り、明細書および請求項の全体にわたって、単語『備える』（ｃｏｍｐｒｉｓｅ，ｃｏｍｐｒｉｓｉｎｇ）などは、閉鎖的あるいは網羅的なという意味とは反対の、包含できないという意味で解釈される。すなわち、「含むが、これに限定されるものではない」という意味において解釈される。
【発明の効果】
【００３９】
本発明によれば、物体の偶発的な落下を減らし、さらに防止することができ、それにより、下にいる人が重傷を負ったり死亡したりするおそれや、財産に重大な損害を与えるおそれを回避できる。
【図面の簡単な説明】
【００４０】
【図１】本発明の一実施例によれば取付システムの模式的な斜視図である。
【図２】第１の保持具に係合するマウント部を伴った、図１の構成部品の斜視図である。
【図３】第１の保持具に係合するマウント部を伴った、図１の構成部品の分解図である。
【図４】第１の保持具に係合するマウント部と、マウント部に入る第２の保持具を伴った、図１の構成部品の分解図である。
【図５】第１および第２の保持具と係合したマウント部を伴った中間状態の、図１の構成部品の分解図である。
【図６】マウント部が第２の保持具と完全に係合し、マウント部から取り外された第１の保持具を伴った、図１の構成部品の分解図である。
【図７】保持具がユーザの腕に装着され、図５の状態にある、取付システムの斜視図である。
【図８】ユーザのベルトに装着された保持具を伴う、取付システムの斜視図である。
【図９】本発明の第２の実施形態によるツールホルダの側面図である。
【図１０】図９のツールホルダの側面分解図である。
【図１１】図９のツールホルダの斜視分解図である。
【図１２】本発明の第３の実施形態によるツールホルダの斜視図である。
【図１３】図１２のツールホルダの側面分解図である。
【図１４】図１２のツールホルダの斜視分解図である。
【図１５】本発明の第４の実施形態によるツールホルダの側面図である。
【図１６】本発明の第５の実施形態による取付システムの斜視図である。
【図１７】図１６のシステムの平面図である。
【図１８】図１６のシステムの側面図である。
【図１９】図１６のシステムの端面断面図である。
【図２０】図示されない筐体の一部を伴う、本発明の第６の実施形態による取付システムの側面図である。
【図２１】本発明の第６の実施形態による取付システムの分解側面図である。
【発明を実施するための形態】
【００４１】
図１〜７を参照すると、本発明の１つの実施形態による安全なツール取付システム１０が示してある。システムには、ツールホルダ１２および２つの保持具１４ａ，１４ｂが含まれる。
【００４２】
ツールホルダ１２は、ツール１５に直接取り付けてもよいし、つなぎ部材１６を介して取り付けてもよい。
【００４３】
保持具１４は、適切な物体に装着される。図１において、保持具１４はリストストラップ１８に装着してあり、リストストラップはユーザの腕２０に装着してある。保持具１４はスロット３１を備え、そのスロットを、リストストラップのストラップ３３のようなストラップが通る。また、スロット３１は、ネジ、ボルト、鋲または類似の留め金具がいずれの端部を通って、ポストやその他の適切な構造物などの固い物の中へ入るように、成形してある。
【００４４】
保持具１４ａ，１４ｂは互いに同一で、２つの間隔の空いた別々の側板２２をリブ２４で結合してある。開口２６，２８が、リブ２４のいずれの側にもある。追加リブ３２によって、２つの側板２２は間隔を空けて結合し、開口２８の輪郭が画定される。リブ２４は概して細長く、直線状である。リブ２４は断面が円形であってもよい。
【００４５】
ツールホルダ１２には筐体３４が含まれ、この筐体には、ラッチ３６が軸３８に回転可能に装着してある。筐体３４は、２つの側面プレート４０ａ、４０ｂを結合して形成してもよい。ネジ４２は、２つの側面プレート４０ａ、４０ｂを結合し、軸３８として機能する。筐体３４は、軸３８のいずれの側にも延びる２つの細長いマウント部であるスロット４４ａ、４４ｂを限定する。
【００４６】
ラッチ３６は細長く、縦軸に対して対称形で、矢型のヘッド４６を一端に、テール４８を他端に備え、その間に軸３８がある。テール４８は、互いにかつ縦軸に対して角度のある２つの面５０，５４を備える。筐体３４には、面５０，５４のどちらか一方と係合する板ばね５２が含まれ、板ばねはラッチ３６に付勢し、筐体の軸のどちらか一方の側に回転させる。
このとき、ヘッド４６はスロット４４ａ、４４ｂのそれぞれのためにラッチ３６を保持位置にするように構成しており、テール４８はスロット４４ａ、４４ｂのそれぞれのために開放位置にするように構成していると言うことができる。
【００４７】
面５０，５２は角度があるため、オーバーセンター作用（over center action）が生じ、それにより、ラッチ３６の回転時にラッチを一方の側から他方の側へ「弾かれたように」動かし、ラッチ３６に付勢してどのような現在の位置にも留める。他のオーバーセンター作用機構を用いてもよい。
【００４８】
スロット４４ａ、４４ｂは、保持具１４のリブ２４を受ける大きさにしてある。
【００４９】
図３および４に見られるように、ラッチ３６は、ヘッド４６がスロット４４ａに及ぶように向いており、ヘッドとスロット４４ａの閉塞端部の間にリブ２４ａを閉じ込める。リブ２４ａは側板２２と結合しているので、スロットから横に外れることはない。リブはスロット４４ａに閉じ込められているので、ヘッドがスロット４４ａを覆う間、ツールホルダ１２は保持具１４ａに固定される。ラッチ３６は、ばね５２によって、この位置に維持される。
【００５０】
テール４８は角度のある面５６ａを備え、それはスロット４４ａへ達する。リブ２４ａがスロット４４ａに沿ってテール方向へ相対的に移動すると、ヘッド４６がスロット４４ａの開口端部へより伸びるようラッチ３６を回転させる。リブ２４ａがスロットの開放端部方向へ移動すると、リブ２４ａが角度のある面５８と係合し、ヘッド４６がスロット４４ａの開放端部へさらに及ぶ。このように、スロット４４に沿ったいずれの方向への移動も、リブのスロット内での保持を増強させる。
【００５１】
スロット４４ｂは開いており、ツールホルダ１２は保持具１４ｂと相対的に移動し、リブ２４ｂがスロット４４ｂに入る。ヘッド４６は、リブ２４ｂを妨げない。しかしながら、ヘッドの前面６０には角度をつけて、それにより、この前面６０がスロットへ達しても、リブが入ることによって、この前面を横へ押しやり、リブが入れるようにすることが好ましい。リブ２４ｂはスロットの中へ移動し、テールの面５６ｂと係合する。
【００５２】
テールの面５６ｂには角度がつけてあり、それにより、スロット４４ｂの基部方向への移動が続くと、ラッチ３６がばねの付勢力に抗して回転する。ラッチの回転が続き、テール４８が中央点を通りすぎると、テールは「弾かれたように」動いて向きを変え、ヘッドがスロット４４ｂへ及ぶ。リブの長さは、ヘッドとテールの間隔との関係で、リブ２４ｂがヘッドを過ぎたところでラッチの回転を妨げないようにしてある。
【００５３】
図５を参照すると、中心位置で、ヘッド４６は両スロット４４ａ，４４ｂへ及び、ツールホルダ１２は、ツールの保持具１４ａ，１４ｂへ固定される。
【００５４】
ラッチが弾かれたように動いて、ヘッドがスロット４４ｂを覆い、リブ２４ｂを閉じ込めると、図６で見られるように、ラッチはスロット４４ａを解放し、リブ２４ａはスロット４４ａから及び筐体との係合から抜け出す。
【００５５】
ツールホルダ１２はここで、保持具１４ａではなく保持具１４ｂに固定される。したがって、ツールホルダ１２は、常に少なくとも１つの保持具に装着された状態になる。このように、保持具が最適に保持される限り、ツールホルダに装着してあるツールが落下することはない。
【００５６】
図７は、図５に対応する配置を模式的に示したもので、どちらの保持具１４ａ，１４ｂもツールホルダに固定してある。
【００５７】
図８は１つの配置を模式的に示したもので、保持具１４ａはリストストラップ１８に装着してあり、他の保持具１４ｂはユーザの胴のベルト７０に固定してある。ツールホルダ１２は、上記したように、ユーザの腕２０からベルト７０へ移動させてもよい。ベルト７０には、各々にツールが固定してある複数の保持具１４が備えてあってもよい。各ツールホルダ１２は、他の保持具に係合しなければベルト７０から外れないため、１つ以上のツールが不安定で安全でない状態にあることはない。
【００５８】
ユーザは、各腕に複数の保持具を付けてもよく、両腕に保持具を付けてもよい。このように、ユーザがツールを左手でもって働く場合、ツールホルダ１２は、左腕の保持具に固定する。もし右腕を使用したい場合、上記の方法で、ツールホルダ１２を左腕の保持具から右腕の保持具へ移すことができる。
【００５９】
作業架台やそれに似た物に１つ以上のツール保持具１４を備えてもよく、それにより、使用してない１つ以上のツールを作業架台に確実に取り付けておける。ユーザがツールを必要とするとき、ツールホルダ１２は、作業架台上の保持具からユーザに付けてある保持具へ移される。
【００６０】
図面では、ユーザの保持具が手首またはベルトに直接装着してある場合を示してあるが、これは本質的でない。必要なことは、保持具がユーザに固定されていることだけである。例えば、１つ以上の保持具を、ロープ又はケーブルその他のつなぎ部材でユーザまたは作業架台に取り付けてもよい。しかしながら、手首およびベルトを使用すれば、装着が比較的安定するし、空いた保持具に繋がれたツールホルダを係合するのにも役立つ。
【００６１】
図９〜１１は、図１〜８のツールホルダ１２と類似のツールホルダ１１２を示す。ツールホルダ１１２は、ツールホルダ１２と実質的に同様に作動し、軸１３８に軸支するラッチ１３６を備え、このラッチがマウント部であるスロット１４４ａとスロット１４４ｂの端部を二者択一的に覆う。軸１３８は筐体部１３４ａ，１３４ｂの一部として形成してもよく、ラッチ１３６は軸の上に圧入してもよい。ラッチ１３６は、スプリング部材１５２により付勢され、スロット１４４ａ，１４４ｂの１つを覆っている。スプリング部材１５２は弾性のプラスチックで、筐体部１３４ａ，１３４ｂと一体的に形成してあることが望ましいが、金属、プラスチックその他の素材を用い、別個の部材としてもよい。
【００６２】
筐体部１３４ａ，１３４ｂの一方または両方にはスロット１６０が設けてあり、このスロットからは、ラッチ１３６のテール１４８の一部が覗いている。図９で最も良く分かるように、スロットはテールのいずれの側にも伸びている。このスロット１６０により、スロット１４４ａ、１４４ｂの１つに保持されている保持具（図示せず）から、ツールホルダ１１２を手動で取り外すことが可能となる。そうするため、ユーザは、ねじ回しのような道具をスロット１６０に差し込み、テール１４８に当ててばねの付勢力に抗してラッチを回転させる。それにより、ヘッドが移動して、１つのスロットの端部を覆うことから他のスロットの端部を覆うようになる。
【００６３】
図１２〜１４は、ツールホルダ１２および１１２と類似のツールホルダ２１２を示す。ツールホルダ２１２は、ツールホルダ１２，１１２と実質的に同様に作動し、軸２３８に軸支するラッチ２３６を備え、このラッチがマウント部であるスロット２４４ａとスロット２４４ｂの端部を二者択一的に覆う。軸２３８は筐体部２３４ａ，２３４ｂの一部として形成してもよく、ラッチ２３６は軸の上に圧入してもよい。この代わりに、軸は、筐体部２３４ａ，２３４ｂの１つに熱でかしめその他の方法で固定したピン２３９でもよい。ピン２３９には、ピン上のラッチ２３６を保持するためのヘッド２４０を備えてもよい。ラッチ２３６は、スプリング部材２５２により付勢され、スロット２４４ａ、２４４ｂの１つを覆っている。スプリング部材２５２は、別個の部材であるが、筐体部２３４ａ，２３４ｂと一体的に形成してもよい。
【００６４】
筐体部２３４ａ，２３４ｂには円弧形のスロット２６０が設けてあり、このスロットからは、ラッチ２３６のテール２４８の一部が覗いている。スロット２６０は、軸２３８の心円上にある。テール２４８の端部には、各スロット２６０に及ぶ手動解放タブ２７０が備えてある。いずれのロック位置においても、解放タブ２７０は、スロット２６０の端部の方へ位置している。筐体には、スロット２６０を２つ設ける必要はなく、１つだけ作ってあればよい。
【００６５】
解放タブ２７０は、スロット２６０から伸びていて、ユーザは、タブ２７０の一方または両方を押して、ばねの付勢力に抗してラッチを回転させる。それにより、ヘッドが移動して、１つのスロットの端部を覆うことから他のスロットの端部を覆うようになる。必要に応じて、タブ２７０の端部を、筐体２３４ａ，２３４ｂと面一にしてもよく、それにより、タブが他の物体に引っ掛かり偶然に解放する可能性を減らす。
【００６６】
必要に応じて、タブ２７０は、筐体の外面からへこませてもよい。必要に応じて、スロット２６０の大きさを、ラッチ２３６が完全に回転したときにタブ２７０がスロットの端部に来ないようにしてもよい。このようにして、スロットの端部とタブとの間に隙間を設けて、ユーザの指が掛かりやすくしてもよい。
【００６７】
図１５は、ツールホルダ１２と実質的に同様のツールホルダ３１２を示す。しかし、筐体３３４には、中央に配置したロック孔を、ラッチ３３６のテール３４８の近くに備えてある。ロック孔３１４は、ラッチ３３６が１つの係止位置から他の係止位置へ移動すると、テールの少なくとも一部がロック孔の中を通るように、配置してある。ロック孔はテールで完全に閉じられることが好ましいが、部分的に閉じられることでも足りる。ラッチ３３６がいずれの係止位置にあるとき、テール３４８は、中央孔３１４の片側にある。南京錠の掛け金やその類似物が孔３１４に通してあると、ラッチを１つの位置に係止する。
【００６８】
図１６〜１９は、システム１０のそれと類似するツール取付システム４１０を示し、システムの作動は、先に述べたものと実質的に同様である。
【００６９】
主な違いは、筐体４１２のマウント部である各スロット４４４ａ，４４４ｂは、ラッチ部材４３６の両側には伸びておらず、筐体４１２の片側にのみ設けてある点である。示されたバージョンにおいて、スロット４４４ａ，４４４ｂは、筐体の何れの側にもあり、筐体は、実質的に対称形である。しかしながら、スロット４４４ａ，４４４ｂを、同じ一側に設け、筐体４１２の他側は空白面としてもよい。
【００７０】
スロット４４４ａ，４４４ｂは、筐体４１２を完全に貫いて伸びてはいないので、保持具４１４には、両側板４２２の間を完全に伸びるリブは備えられていない。その代わり、リブ４２４は、一方の側板４２２から他方の側板の途中まで伸び、図１９から最も良く分かるように、筐体４１２を受けるギャップ４２５が残されている。これにより、
筐体４１２が左側又は右側のドックによってのみ取り上げられることが可能となる。これにより、安全性がより増す。というのは、偶発的に平板、ロープ又はワイヤが開放スロットに挿入されてしまうことによって、ラッチが外れることはないからである。すなわち、ラッチを外すには、保持具をスロットに掛ける必要があるのである。このバージョンでは、さらに、開放スロットに沿ってロッドまたはねじ回しの端部を摺動させることにより、ユーザが、手動で、保持具をツールホルダから解放できる。
【００７１】
図２０〜２１は、ツール取り付けシステム５１０を示す。このシステムでは、保持具１４と実質的に同じ保持具５１４と、先に述べたスロットと類似の一対のスロットを備えたツールホルダ５１２が用いられる。しかしながら、ラッチ機構は、単一の部材でなく、２つのラッチ部材５３４ａ，５３４ｂを含み、共通軸５３８の周りを回転するように重ねて装着してある。２つのラッチ部材５３４ａ，５３４ｂは、実質的に互いの鏡像であり、各々ヘッド５４６およびテール５４８を有する。各ヘッドには、角度のある面５５８，５６０が備えてあり、テールには、角度のある面５５６が備えてある。保持具５１４のリブ５２４は、他の実施例と同様の方法で、ヘッド５４６ａによってスロット５４４ａに閉じ込められている。
【００７２】
ねじりばね５５２は、２つのラッチ部材５３４ａ，５３４ｂにテールで接続してある。ばね５５２は付勢されて、２つのテールを隔てさせ、これにより、ヘッド５４６が付勢されて外側へ向く。
【００７３】
使用の際は、第２の保持具５１４ｂがスロット５４４ｂに挿入されると、リブ５２４ｂはヘッド５４６ｂに掛かり、このヘッド５４６ｂを装置の中心線へ向けて内側へ動かす。これにより、テール５４８ｂは内部に移動し、ばね５５２を介して他のラッチ部材のヘッド５４６ａを外側へ動かし、その保持部材の保持機能を維持する。一旦リブ５２４ｂがヘッド５４６ｂを通過すると、ヘッド５４６ｂは外側へ跳ね、リブ５２４ｂがスロット５４４ｂから外れることを防止する。動きが続くと、リブ５２４ｂがラッチ部材５３４ａの面５５６ａに掛かり、反時計回りの動きを生じさせて、ヘッド５４６ａを内側へ引き入れ、スロット５４６ａの開口を開け、保持具５１４ａがツールホルダ５１２から外れる。
【００７４】
いうまでもなく、一又は複数の実施に関し、この文書に記載され又は言及されている本発明の特徴は、一又は複数の他の実施の特徴（特徴が両立する場合）のいかなる組合せにおいても、組み合わせることができる。
【００７５】
本発明の意図または範囲を逸脱しない範囲でここに記載されている実施例に、多くの明らかな修正変更をなしうることは、当業者にとって明らかである。
【産業上の利用可能性】
【００７６】
地面上や水面上において、ツールその他の器具を持って作業することが必要となる産業分野に広く利用可能である。
【符号の説明】
【００７７】
１２，１１２，２１２，３１２，４１２，５１２  ツールホルダ
１４，４１４，５１４  保持具
２２，４２２  側板
２４，５２４  リブ
２６  開口
３２  リブ
３４  筐体
３６，１３６，２３６，３３６，４３６  ラッチ
３８，１３８，２３８  軸
４４，１４４，２４４，４４４，５４４  スロット
４６，５４６  ヘッド
４８，１４８，２４８，３４８，５４８  テール
５０  面
５２，１５２，２５２  ばね部材
５４  面
５６，５５６  角度のある面
５８，５５８  角度のある面
６０，５６０  前面
１６０，２６０  スロット
２７０  タブ
３１４  ロック孔
４２４  リブ
４２５  ギャップ
５３４  ラッチ部材
【図１】
0005847828.tif 000002
【図２】
0005847828.tif 000003
【図３】
0005847828.tif 000004
【図４】
0005847828.tif 000005
【図５】
0005847828.tif 000006
【図６】
0005847828.tif 000007
【図７】
0005847828.tif 000008
【図８】
0005847828.tif 000009
【図９】
0005847828.tif 000010
【図１０】
0005847828.tif 000011
【図１１】
0005847828.tif 000012
【図１２】
0005847828.tif 000013
【図１３】
0005847828.tif 000014
【図１４】
0005847828.tif 000015
【図１５】
0005847828.tif 000016
【図１６】
0005847828.tif 000017
【図１７】
0005847828.tif 000018
【図１８】
0005847828.tif 000019
【図１９】
0005847828.tif 000020
【図２０】
0005847828.tif 000021
【図２１】
0005847828.tif 000022